(57)【要約】【課題】被介助者に過度の負担を強いることなく、安全且つ的確に立ち姿勢を保持できる手すり装置を提供する。【解決手段】台座２上に立設固定されたフレーム体４の中段部に、又は中段部と上端部の双方に、略水平方向に延出するクッション体６，７を備える。係る構成によれば、被介助者Ｍが手すり装置１に向かって立ち姿勢をとる場合には、大腿部Ｍｃの部分を中段部に設けたクッション体６に凭れさせるとともに、両手を上端部に設けたクッション体７に預けることで、また、手すり装置１に背を向けて立ち姿勢をとる場合には、臀部Ｍａ近傍を中段部に設けたクッション体６に凭れさせるとともに、背中Ｍｂ部分を上端部に設けたクッション体７に預けることで、これら何れの場合にも、被介助者Ｍは体力的な負担を殆ど感じることなく、安全且つ的確に立ち姿勢を保持することができる。【選択図】図１
2019097900.tif 000002
【特許請求の範囲】
【請求項１】
台座上に立設固定されたフレーム体の中段部に、又は中段部と上端部の双方に、略水平方向に延出するクッション体を備えたことを特徴とする手すり装置。
【請求項２】
請求項１において、
上記フレーム体は、左右一対の縦材と該縦材の上端を接続する横材を備えた略逆Ｕ形の形体とされ、該各縦材の下端部が上記台座に固定されたことを特徴とする手すり装置。
【請求項３】
請求項１又は２において、
上記フレーム体の中段部に設けたクッション体と上記フレーム体の上端部に設けたクッション体が、該フレーム体の前後方向にオフセットしていることを特徴とする手すり装置。
【請求項４】
請求項１，２又は３において、
上記フレーム体は、上記台座からの高さが調整可能とされていることを特徴とする手すり装置。
【請求項５】
請求項１，２，３又は４において、
上記フレーム体の左右両側に肘掛を備えるとともに、該肘掛は略水平方向前方へ延出する使用時姿勢と略鉛直に起立する収納時姿勢の間で姿勢変更可能とされていることを特徴とする手すり装置。
【発明の詳細な説明】
【技術分野】
【０００１】
本願発明は、主として、立ち姿勢を保持するための手すり装置に関するものである。
【背景技術】
【０００２】
被介助者に対する介助現場においては、例えば、入浴時とか用便時に被介助者を椅子とか便座に座らせたまま衣服の脱ぎ着せを行うと、椅子とか便座との干渉によって衣服の脱ぎ着せがしにくく、また衣服の脱ぎ着せ後に椅子とか便座からの立ち上がり時に被介助者の膝とか腰に過度の負担が掛かかるとともに、介助者にも負担を強いることになる。
【０００３】
また、外出時とか帰宅時における靴の脱ぎ履きなどは短時間の作業であるものの、例えば、被介助者が玄関の上り框に座り込んで靴の脱ぎ履きを行うと、脱ぎ履き後の立ち上がり時に被介助者の膝とか腰に過度の負担が掛かかるとともに、介助者にも負担を強いることになる。このような事情から、被介助者及び介助者に対する過度の負担を回避すべく、被介助者を立たせた状態のままで衣服の脱ぎ着せとか、靴の脱ぎ履きをさせることが多くある。
【０００４】
このような介助作業を、被介助者及び介助者に過度の負担を強いることなく、安全且つ的確に行うためには、被介助者の立ち姿勢を保持できる手段が必要であるが、現時点では係る用途専用の手すり装置は提案されておらず、実際の介助現場では、周辺の壁面とか該壁面に設置された歩行用手すり等を代用し、被介助者は壁面に手をついたり、手摺を把持したりすることで立ち姿勢を保持するのが一般的である。また、介助現場の周辺に立ち姿勢の保持に利用できる壁面等が無い場合には、例えば、特許文献１、２に示されるような載置式の起上り支援用の手すりを設置してこれを立ち姿勢保持に代用するとか、特許文献３に示すような載置式の立ち姿勢凭れ装置を設置して利用するようにしていた。
【先行技術文献】
【特許文献】
【０００５】
【特許文献１】実用新案登録第３１３７４９７６号公報
【特許文献２】特開２０１２−２２３２４７号公報
【特許文献３】特開２０１０−４６２３９号公報
【発明の概要】
【発明が解決しようとする課題】
【０００６】
しかし、特許文献１，２に記載されるような載置式の起上り支援用の手すりを立ち姿勢保持に代用する場合には、該手すりが起上り支援用であることから高さが低く、立ち姿勢にある被介助者は腰の高さ近くにある手すりを把持して立ち姿勢を保持しなければならず、またこの手摺に上体部分を凭れ掛けることができないことから、立ち姿勢の保持効果は低いものである。
【０００７】
また、特許文献３に記載される立ち姿勢凭れ装置は、立ち姿勢にある人の腰部近くの高さにクッション部を設け、このクッション部に人が背面側から腰部を凭れ掛けることで立ち姿勢を保持する構成であることから、これを介助現場において立ち姿勢の保持に使用する場合、腰部は支持されるが、上体部分は何ら支持されず、また上記クッション部分が揺動可能な構成であってこれを手すりとして使用することが困難であること等から、立ち姿勢の保持に際しての被介助者及び介助者の体力的な負担が大きく、体力的に劣る被介助者の立ち姿勢の保持手段として好適とは言えない。
【０００８】
そこで本願発明は、体力的に劣る被介助者に過度の負担を強いることなく、安全且つ的確に立ち姿勢を保持できる手すり装置を提供することを目的としてなされたものである。
【課題を解決するための手段】
【０００９】
本願発明ではかかる課題を解決するための具体的手段として次のような構成を採用している。
【００１０】
本願の第１の発明に係る手すり装置では、台座上に立設固定されたフレーム体の中段部に、又は中段部と上端部の双方に、略水平方向に延出するクッション体を備えたことを特徴としている。
【００１１】
本願の第２の発明では、上記第１の発明に係る手すり装置において、上記フレーム体は、左右一対の縦材と該縦材の上端を接続する横材を備えた略逆Ｕ形の形体とし、該各縦材の下端部を上記台座に固定したことを特徴としている。
【００１２】
本願の第３の発明では、上記第１又は第２の発明に係る手すり装置において、上記フレーム体の中段部に設けたクッション体と上記フレーム体の上端部に設けたクッション体を、該フレーム体の前後方向にオフセットさせたことを特徴としている。
【００１３】
本願の第４の発明では、上記第１、第２又は第３の発明に係る手すり装置において、上記フレーム体の上記台座からの高さを調整可能としたことを特徴としている。
【００１４】
本願の第５の発明では、上記第１、第２、第３又は第４の発明に係る手すり装置において、上記フレーム体の左右両側に肘掛を備えるとともに、該肘掛を、略水平方向前方へ延出する使用時姿勢と略鉛直に起立する収納時姿勢の間で姿勢変更可能としたことを特徴としている。
【発明の効果】
【００１５】
本願発明では次のような効果が得られる。
【００１６】
（ａ）本願の第１の発明に係る手すり装置では、台座上に立設固定されたフレーム体の中段部に、又は中段部と上端部の双方に、略水平方向に延出するクッション体を備えたので、被介助者が上記手すり装置に向かって（即ち、前向きで）立ち姿勢をとる場合には、図６に例示するように、該被介助者（Ｍ）はその太腿部（Ｍｃ）の部分を上記中段部に設けたクッション体（７）に凭れさせるとともに、両手を上記上端部に設けたクッション体（６）に預けることで、体力的な負担を殆ど感じることなく、安全且つ的確に立ち姿勢を保持することができる。
【００１７】
また、被介助者が上記手すり装置に背を向けて（即ち、後ろ向きで）立ち姿勢をとる場合には、図５に例示するように、該被介助者（Ｍ）はその臀部近傍を上記中段部に設けたクッション体（７）に凭れさせるとともに、背中（Ｍｂ）部分を上記上端部に設けたクッション体（６）に預けることで、体力的な負担を殆ど感じることなく、安全且つ的確に立ち姿勢を保持することができ、また介助者の負担も軽減される。
【００１８】
（ｂ）本願の第２の発明に係る手すり装置によれば、上記（ａ）に記載の効果に加えて以下のような特有の効果が得られる。即ち、この発明では、上記フレーム体を左右一対の縦材と該縦材の上端を接続する横材を備えた略逆Ｕ形の形体とし、該各縦材の下端部を上記台座に固定したので、該フレーム体の支持剛性が高く、例えば、被介助者が上記クッション体の幅方向略中央位置から左右方向へ偏移した部位に凭れ掛かって上記フレーム体に捩じり力が作用する状態となった場合でも、該被介助者からの凭れ荷重を確実に且つ安定的に支持してその立ち姿勢を保持させることができる。
【００１９】
（ｃ）本願の第３の発明に係る手すり装置によれば、上記（ａ）又は（ｂ）に記載の効果に加えて以下のような特有の効果が得られる。即ち、この発明では、上記フレーム体の中段部に設けたクッション体と上記フレーム体の上端部に設けたクッション体を、該フレーム体の前後方向にオフセットさせたので、例えば、被介助者が前向きで立ち姿勢をとる場合には、図６に例示するように、直立姿勢よりも若干前屈みの姿勢が安楽な姿勢とされるところ、この安楽姿勢に対応するように大腿部付近を支持する中段部側のクッション体（７）に対して、手を支持する上端部側のクッション体（６）が上記フレーム体の後方へ（換言すれば、被介助者の前方側へ）オフセットされていることで、安楽姿勢での立ち姿勢の保持が実現され、立ち姿勢の保持に係る被介助者の体力的な負担が軽減される。
【００２０】
また、逆に、被介助者が後向きで立ち姿勢をとる場合には、図５に例示するように、
前のめりになって倒れるのを回避すべく本能的に直立姿勢よりも若干後傾の姿勢が安全な姿勢とされるところ、この安全な姿勢に対応するように臀部付近を中段部側のクッション体（７）に凭れ掛からせるとともに背中部分を上端部側のクッション体（６）に凭れ掛からせることで、安全な姿勢での立ち姿勢の保持が実現され、立ち姿勢の保持に係る被介助者の体力的な負担が軽減される。
【００２１】
（ｄ）本願の第４の発明に係る手すり装置によれば、上記（ａ）、（ｂ）又は（ｃ）に記載の効果に加えて以下のような特有の効果が得られる。即ち、この発明では、上記フレーム体の上記台座からの高さを調整可能としたので、この高さ調整によって中段部側にクッション体と上端部側のクッション体の上記台座からの高さが調整され、この結果、被介助者の身長に影響されることなく、安定した立ち姿勢の保持が可能となる。
【００２２】
（ｅ）本願の第５の発明に係る手すり装置によれば、上記（ａ）、（ｂ）、（ｃ）又は（ｄ）に記載の効果に加えて以下のような特有の効果が得られる。即ち、この発明では、上記フレーム体の左右両側に肘掛を備えるとともに、該肘掛を、略水平方向前方へ延出する使用時姿勢と略鉛直に起立する収納時姿勢の間で姿勢変更可能としたので、被介助者が手すり装置に対して前向きで立ち姿勢をとる場合も、後ろ向きで立ち姿勢をとる場合も、上記肘掛に肘を預けることで姿勢保持作用が安定するという本来的な効果に加えて、被介助者が立ち姿勢の保持中に左右方向へふら付いたような場合には、使用時姿勢に設定された肘掛によってこの被介助者のふら付きが規制され、横転という最悪事態が未然に回避されるものであり、特にこの被介助者の左右へのふら付き規制効果は、足腰の弱った被介助者が立ち姿勢を保持する場合における安全性の確保という点において有用である。
【図面の簡単な説明】
【００２３】
【図１】本願発明の実施形態に係る手すり装置の斜視図である。
【図２】上記手すり装置の正面図である。
【図３】上記手すり装置の側面図である。
【図４】図２のＡ−Ａ拡大断面図である。
【図５】上記手すり装置の第１の使用状態説明図である。
【図６】上記手すり装置の第２の使用状態説明図である。
【発明を実施するための形態】
【００２４】
図１〜図３には、本願発明の実施形態に係る手すり装置１を示している。この手すり装置１は、例えば、足腰が弱くて立ち姿勢を保持することが困難な被介助者の立ち姿勢を支援するものであって、床面上に載置される台座２に、左右一対の縦材４ａと該縦材４ａの上端同士を接続する横材４ｂを備えた略逆Ｕ形の金属パイプ製のフレーム体４を、左右一対の支柱３を介して高さ調整可能に取り付けている。
【００２５】
また、上記フレーム体４の上端部に位置する上記縦材４ａには上側クッション体６を、また上記フレーム体４の中段部に横設された連結材５には下側クッション体７を、それぞれ設けている。この場合、この実施形態では、上記フレーム体４の左右一対の縦材４ａの上端寄り位置を後方側へ所定角度に折曲させる一方、上記フレーム体４連結材５の中段部に設けられた上記連結材５を左右一対の上記縦材４ａよりも前方側へ延出させることで、上記上側クッション体６を下側クッション体７よりも後方側へオフセットさせている。
【００２６】
さらに、上記上側クッション体６と上記下側クッション体７の高さ位置及びこれら両者の間隔は、以下のように設定されている。即ち、上記下側クッション体７の高さ位置は、上記フレーム体４の上記支柱３に対する固定位置を調整することで増減調整できるが、例えば、この支柱３側での調整量を全調整幅の中間に設定した状態において、上記台座２上に立った人の腰部から臀部にかけての部位が上記下側クッション体７に対応するように設定される。
【００２７】
また、上記上側クッション体６と上記上側クッション体６の間隔は一定間隔に固定されているが、立ち姿勢にある人の大腿部近傍とか臀部近傍上記下側クッション体７に対応した状態において、上記上側クッション体６が背中部分に対応するように設定されている。
【００２８】
また、上記フレーム体４の上記上側クッション体６と上記下側クッション体７の中間の高さ位置には、該フレーム体４から略水平方向前方へ延出する使用時姿勢と略鉛直に起立する収納時姿勢の間で姿勢変更可能とされた左右一対の肘掛９が設けられている。
【００２９】
上記上側クッション体６と上記下側クッション体７は同様の構造をもつものであり、これを図４に示す下側クッション体７について説明する。この下側クッション体７は、上記連結材５にその上側から鞍座状態で取り付けられた木製あるいは樹脂製の基材１１と、該基材１１の表面を覆うように取り付けられた所定厚さのウレタン材１２で構成される。なお、上記ウレタン材１２の表面はレザー張りとし、触感と耐久性を確保している。
【００３０】
続いて、上記手すり装置１の使用状態を、図５及び図６を参照して説明する。
「前向きでの立ち姿勢の保持」
この場合には、図６に示すように、被介助者Ｍはその太腿部Ｍｃの部分を上記下側クッション体７に凭れさせるとともに、両手を上記上側クッション体６に預けることで、体力的な負担を殆ど感じることなく、安全且つ的確に立ち姿勢を保持することができ、立ち姿勢の保持に係る被介助者Ｍの体力的な負担が軽減され、延いては介助者の負担も軽減される。
【００３１】
さらにこの場合、上記フレーム体４の中段部４ｃに設けた上記下側クッション体７に対して上記フレーム体４の上端部４ｂに設けた上側クッション体６を、該フレーム体４の後方側へオフセットさせているので、被介助者Ｍは、その大腿部Ｍｃ付近を上記下側クッション体７に支持させるとともに、その両手を上記上側クッション体６に預けることで、全体として、直立姿勢よりも若干前屈みの安楽な姿勢で立ち姿勢を保持することができる。
【００３２】
「後向きでの立ち姿勢の保持」
この場合には、図５に示すように、被介助者Ｍはその臀部Ｍａ近傍を上記下側クッション体７に凭れさせるとともに、背中Ｍｂ部分を上記上側クッション体６に預けることで、体力的な負担を殆ど感じることなく、安全且つ的確に立ち姿勢を保持することができ、立ち姿勢の保持に係る被介助者Ｍの体力的な負担が軽減され、延いては介助者の負担も軽減される。
【００３３】
さらにこの場合、上記フレーム体４の中段部４ｃに設けた上記下側クッション体７に対して上記フレーム体４の上端部４ｂに設けた上側クッション体６を、該フレーム体４の後方側へオフセットさせているので、被介助者Ｍは、その臀部Ｍａ付近を上記下側クッション体７に凭れ掛からせるとともに背中Ｍｂ部分を上記上側クッション体６に凭れ掛からせることで、直立姿勢よりも若干後傾した安全な姿勢で立ち姿勢を保持することができ、立ち姿勢の保持に係る被介助者Ｍの体力的な負担が軽減され、延いては介助者の負担も軽減される。
【産業上の利用可能性】
【００３４】
本願発明に係る手すり装置は、主として足腰の弱った被介助者を支援する介護分野において利用されるものである。
【符号の説明】
【００３５】
１・・手すり装置
２・・台座
３・・支柱
４・・フレーム体
５・・連結材
６・・上側クッション体
７・・下側クッション体
８・・延設体
９・・肘掛
１１・・基材
１２・・ウレタン材
１３・・肘掛フレーム
１４・・肘掛板
【図１】
2019097900.tif 000003
【図２】
2019097900.tif 000004
【図３】
2019097900.tif 000005
【図４】
2019097900.tif 000006
【図５】
2019097900.tif 000007
【図６】
2019097900.tif 000008